(57)【要約】【課題】上下２段に配設した食器かごにより、収納できる食器点数の増大を図るとともに、上下段に配した食器類が当接することなく多種多様の食器類を収納できるようにする。【解決手段】食器類を収納する食器かご３３を、洗浄槽１９内に上下２段に配設するとともに、そのうちの上段の食器かご３３ｂにあっては、該食器かご３３ｂの一部を構成する食器支持部材４７を着脱可能に設けた構成とする。【選択図】  図１
2004242901.tif 000002
【特許請求の範囲】
【請求項１】
洗浄槽内に食器類を収納した食器かごを出し入れ可能に設けたものにおいて、
前記食器かごは、上下２段に配設されるとともに、そのうちの上段の食器かごに対し、該食器かごの一部を構成する食器支持部材を着脱可能に設けたことを特徴とする食器洗浄機。
【請求項２】
上段の食器かごは、高さが異なる段違いに構成されるとともに、その高い段部側に食器支持部材を配設したことを特徴とする請求項１記載の食器洗浄機。
【請求項３】
食器支持部材は、上段の食器かごにおける取付高さ位置を変更可能にしたことを特徴とする請求項１または２記載の食器洗浄機。
【発明の詳細な説明】
【０００１】
【発明の属する技術分野】
本発明は、食器かごを改良した食器洗浄機に関する。
【０００２】
【従来の技術】
一般に、食器洗浄機に備えられた食器かごは、洗浄すべき食器類を配列支持するに当って、できるだけ多くの食器類を収納するとともに、確実に洗浄できて使い勝手が良いこと等が求められている。特に、食器洗浄機をキッチンのシンク上に設置して使用するコンパクトタイプほど、小スペースのもと効率良く食器類を配列し収納できることが強く望まれ、このことは昨今のコンパクト化指向に沿って重要課題の一つとなっている。
そこで従来、例えば食器かごの片側上方に回動可能な棚を設けて、必要に応じ当該棚を展開してコップや湯呑み等を載置し、より多くの食器類を洗浄可能としている（例えば、特許文献１参照）。
【０００３】
【特許文献１】
特開２００１−２３１７３７号公報  （第４，５頁、図１）
【０００４】
【発明が解決しようとする課題】
しかしながら、上記従来のものでは棚自体の大きさや形状において、回動する構成上およびスペース的に大きな制約を受け、１回で洗浄できる洗浄容量である食器かご内に収容できる食器点数については限度があり、更なる収納量の増大が求められている。また、棚上の食器類を全て取り出さないと、その下方の食器類を取り出せないことから使い勝手も良いとは言えない。
【０００５】
そこで、その対策として例えば、洗浄槽内に上下２段に略同容量の食器かごを配設することも考えられるが、上下２段の配設に伴ない限られた洗浄槽の上下方向のスペースは狭められ、利用できる食器類の特に収納時における高さに制約を受け、大小様々な食器類の洗浄に不向きとなったり、或は食器かごへの細かな配列収納に苦慮するなど、また使い勝手も低下するなどの問題を有していた。
【０００６】
本発明は上述の事情に鑑みてなされたものであり、従ってその目的は食器かごの改善により多くの食器類を収納できるとともに、特には背の高い食器類にも対応できて多種多様な食器類を収納洗浄するに好適し、且つ使い勝手も良好な食器洗浄機を提供するにある。
【０００７】
【課題を解決するための手段】
上記目的を達成するために、本発明の食器洗浄機は、洗浄槽内に食器類を収納した食器かごを出し入れ可能に設けたものにおいて、前記食器かごは、上下２段に配設されるとともに、そのうちの上段の食器かごに対し、該食器かごの一部を構成する食器支持部材を着脱可能に設けたことを特徴とする（請求項１の発明）。
【０００８】
斯かる構成によれば、多くの食器類を収納できるとともに、上下２段に食器かごを配設した構成でありながら上段側の食器支持部材を着脱できるので、これに対応する下段側に特に背の高い食器類を支障なく収納でき、以って多種多様の食器類を所望に洗浄できる。
【０００９】
そして、請求項１記載のものにおいて、上段の食器かごは、高さが異なる段違いに構成されるとともに、その高い段部側に食器支持部材を配設したことを特徴とする（請求項２の発明）。
【００１０】
斯かる構成によれば、下段側の背の高い食器類の収納に対応した上段の食器かごの高い段部側に、食器支持部材を配設したので、更に背の高い食器類を収納可能となり更に多くの種類の食器類の洗浄ができるとともに、食器かごにおける背の高い食器類の収納スペースが特定できて、使い勝手も一層良好となる。
【００１１】
また、請求項１または２記載のものにおいて、食器支持部材は、上段の食器かごにおける取付高さ位置を変更可能にしたことを特徴とする（請求項３の発明）。
【００１２】
斯かる構成によれば、食器支持部材を着脱可能に加えて、その取付高さを調節することで更に多種多様の食器類を収納し洗浄することが可能となり、また、食器支持部材を下段の食器類が当接しない範囲で低い位置に設定できるので、斯かる場合には特に下方からの噴射洗浄水を当該食器支持部材に収納された上段の食器類に対し有効に噴き当てることができ、効果的な洗浄が期待できる。
【００１３】
【発明の実施の形態】
（第１の実施の形態）
以下、本発明の第１実施例につき、図１ないし図６を参照して説明する。
まず、図３は食器洗浄機の外観構成を示す斜視図にあって、食器洗浄機本体１１と、これの前面部に設けた扉１２、および操作パネル１３を示している。そのうち本体１１は、概略その外殻を構成する外箱１４と、この外箱１４内部に設けられた後述する洗浄槽１９および洗浄機構部２１（いずれも図２参照）等を具備した構成としている。
【００１４】
また、扉１２は下端部を支点に回動する下扉１２ａと、上端部を支点に回動する上扉１２ｂとからなり、そのうちの下扉１２ａには図示しない扉ロック機構と連動する構成にあって、そのロック解除ボタン１５および取手１６とを設けており、従って扉１２を開放する場合には、ロック解除ボタン１５を押しながら取手１６を手前に引けば、下扉１２ａが下方に回動して開き、それに連動して上扉１２ｂが上方に回動して、前面を大きく開放するようになっている。尚、上扉１２ｂには、前記洗浄槽に連通した排気口１７が設けられている。
【００１５】
一方、前記操作パネル１３は、食器洗浄機の運転コースの設定や、運転スタートおよび停止等に係る操作を行なうためのもので、詳細は略すがコース設定キーやスタートキー等の各種操作キー１３ａを備えている。
尚、この操作パネル１３の裏側には、図２に示すようにマイクロコンピュータ等からなる制御装置１８を配設しており、これは上記操作パネル１３の操作入力に基づき、食器洗浄機の運転全般を制御する。
【００１６】
次いで、本体１１の内部構成について図１，２および図４，５を参照して説明する。まず、図１は前記扉１２を取除いた状態の本体１１の正面図であり、図２は本体１１の要所を切断して示す縦断側面図で、これら図面に基づき説明するに、特に図２に示すように前記外箱１４内には、大きな空間を占める前記した洗浄槽１９を配設している。この洗浄槽１９は、その前面を大きく開放した食器類の出入口２０を形成しており、その出入口２０の全面を開閉する前記扉１２（下扉１２ａおよび上扉１２ｂ）により、水密に閉鎖されている。
【００１７】
そして、上記洗浄槽１９の底部には、前記した洗浄機構部２１を配設している。該機構部２１は、洗浄ポンプ２２とこれを駆動するポンプモータ２３、および後述する噴射体２６を具備してなり、併せて洗浄ポンプ２２と同軸上に並設した排水ポンプ２４も上記ポンプモータ２３にて共通に駆動可能に制御される。その制御手段としては、ポンプモータ２３を正逆回転可能なモータを用いて、例えば時計回りの正転時には洗浄ポンプ２３が正常にポンプ機能する一方、排水ポンプ２４は機能せず、また逆転時には排水ポンプ２４が正常にポンプ機能して排水管２５から機外に排水できるが、洗浄ポンプ２２は機能しないように、ポンプランナーの形状若しくはクラッチ機構を備えた構成としている。
【００１８】
このように、洗浄槽１９の外底面側に設けられた洗浄ポンプ２３に対し、洗浄槽１９の内底部側には回転ノズルとして機能する噴射体２６が軸筒部２７に連通支持され、該軸筒部２７は前記洗浄ポンプ２２の吐出側に連通接続され、以って洗浄機構部２１として構成されている。更に、洗浄ポンプ２２の吸入側は、接続管２８を介して洗浄槽１９の最低部位である凹所１９ａに連通接続され、従って、例えば洗浄運転時には洗浄機構部２１の駆動に伴ない、洗浄槽１９内に供給された洗浄水は、凹所１９ａから洗浄ポンプ２２を介して噴射体２６に圧送され、該噴射体２６から洗浄槽１９内の主に上方に向けて噴射されるとする、洗浄水の循環を繰り返し行なう。この場合、噴射体２６は洗浄水を横方向に噴射するときの反動を利用して回転するようにしている。
【００１９】
更にまた、洗浄槽１９の内底部には、例えばシーズヒータによるヒータ２９を配設しており、上記洗浄水の加熱や乾燥運転時に取り込んだ外気を加熱温風化するようにしている。この温風化手段としては、詳細は略すが洗浄槽１９の背面側に送風装置３０が配設され、この送風装置３０により取り込まれた外気が洗浄槽１９下部のヒータ２９近傍から供給されることで、該ヒータ２９にて加熱温風化されるようにしている。
【００２０】
また、洗浄槽１９への給水手段としては、洗浄槽１９の背面側から内方に給水できるように給水弁３１を設けていて、外部の給水源である水道水を供給可能としている。そして、この給水手段による給水量を制御すべく水位検知装置３２を備えていて、これは例えば所定水位を検知して動作するフロート式スイッチ（図示せず）を具備してなり、洗浄槽１９の内底部に連通して設けられている。
【００２１】
そして、洗浄槽１９内には図１，２から明らかなように、上下２段に配設されてなる食器かご３３が出入口２０から出し入れ可能に収容されている。
以下、この食器かご３３について詳述すると、これは後述する茶碗やコップ等の食器、および鍋やまな板等の調理器具（用具）などの所謂食器類を収納すべく、下段に配置された食器かご３３ａと、上段に配置された食器かご３３ｂとを具備してなり、且つ本実施例ではこれら両食器かご３３ａ，３３ｂは夫々独立した構成体となしていて、夫々単独に出し入れ操作できるようにしている。これら食器かご３３ａ，３３ｂは、いずれもワイヤを組んで大略矩形枠状に構成され上面を開放した容器状をなしている。
【００２２】
まず、下段の食器かご３３ａについて述べるに、これは比較的浅底容器状をなした食器類の収納スペースを形成していて、図１に示すように本実施例では例えば略右半分には径大な皿３４や長尺のスプーン３５および箸３６等の収納時に縦長となる所謂背の高い食器類を配列する収納スペースＡとし、残り略左半分には茶碗３７やどんぶり（図示せず）等の一般的な食器類を配列する収納スペースＢとするスペース区分としている。
【００２３】
そこで、図示右側の食器類の背の高い収納スペースＡには、底部から逆ハ字状に起立した長寸の食器支え３８（図２参照）を複数配設するとともに、筒状の小物入れ３９を立設保持している。従って、上記各食器支え３８間には皿３４のうち図示例ではやゝ径小な小皿３４ａと、やゝ径大な中皿３４ｂを複数枚立設状態に左右方向に一列配列支持し、また小物入れ３９には上記スプーン３５や箸３６等を収納支持している。
【００２４】
これに対し、図示左側の一般的な食器類の収納スペースＢには、やはり底部から逆ハ字状に起立した短寸の食器支え４０を複数配設していて、これら各食器支え４０は当該図１に示すように長短をなす第１，第２の支え４０ａ，４０ｂを一対として構成されている。従って、これら各支え４０ａ，４０ｂ間に個々の茶碗３７が挟持されるように配列支持されるもので、且つこれは図２から理解できるように前後に２列配設した構成としている。
因みに、斯かる構成からなる下段の食器かご３３ａは、前記噴射体２６の上方に配設され、洗浄槽１９の左右両側壁に固定されたレール部材４１に対し、下段の食器かご３３ａの左右両側下部に装着されたスライド部材４２を介して、前後方向にスライド可能に載置支持されている。
【００２５】
次いで、上記上段の食器かご３３ｂの構成について、詳細は後述するとして、まず図１，２に基づきその大略構成につき述べると、これは底部の高さが左右で異なる段違いに構成されている。即ち、前記した下段の食器かご３３ａの右側の背の高い食器類の収納スペースＡの上方に対応した部位を、底部が上位にある所謂浅底収納スペースＣを形成し、同じく左側の収納スペースＢの上方に対応する部位にあっては底部が下位にある所謂深底収納スペースＤを構成している。そして、図示例では右側の浅底収納スペースＣにはコップ４３やマグカップ（図示せず）等の比較的小物の食器類が収納されるようにし、一方左側の深底収納スペースＤには、鍋４４などの全体に大型の食器類を収納可能としている。
【００２６】
尚、斯かる上段の食器かご３３ｂの支持手段としては、洗浄槽１９の左右両側壁に固定されたレール部材４５に対し、該食器かご３３ｂの左右両側に装着されたスライド部材４６がスライド可能に係合支持された構成としており、且つこのスライド式の支持手段は、上段の食器かご３３ｂを上下方向に高さ位置を変更可能とすべく、詳細は後述するが上記スライド部材４６とレール部材４５との係合支持位置を変更できるようにしている。
【００２７】
しかして、図４および図５は、上記した上段の食器かご３３ｂとスライド部材４６の具体構成を説明すべく開示したもので、そのうち図４は上記両者の組み込み状態を示す斜視図で、図５は分解斜視図である。
以下、詳述すると上段の食器かご３３ｂの特徴とするところは、上記した段違い構成に加えて特に図５から明らかなように、該食器かご３３ｂの一部を構成する食器支持部材４７を着脱可能に設けた点にあって、この食器支持部材４７は前記した浅底収納スペースＣに対応した一部を構成している。
【００２８】
即ち、上段の食器かご３３ｂは、図５に示すようにかご本体４８と上記食器支持部材４７とが着脱可能に組み込まれた構成にあり、従ってかご本体４８は、その右側の浅底収納スペースＣ側においては底部が抜けた如き開放口４８ａが形成されていて、周囲枠のみワイヤにて形成された形態にある。
これに対し、食器支持部材４７はワイヤを格子状に組み平坦な棚状の底部を形成する棚部４７ａを主体として、そのうちの４隅部から１本のワイヤを上方に起立し、側方から見て前後方向に曲成されて逆Ｌ字状に形成された腕部４７ｂと、前方側の２本の腕部４７ｂ間に位置して略同形状に形成された逆Ｌ字状の取手兼腕部４７ｃとから構成されている。そのうち、４隅部の腕部４７ｂは１本のワイヤにて先端を自由端部とした柔軟な弾性変形可能であるのに対し、取手兼腕部４７ｃは自由端部側が逆Ｕ字状に曲成されて取手部分となしたもので、従って剛性を高めた弾性変形を可能とするとともに、その上部に後方に窪んだ係合凹部４７ｄを形成している。
【００２９】
斯くして、図４に示す上段の食器かご３３ｂとして構成するには、図５に示すように上記かご本体４８の開放口４８ａに、上方から食器支持部材４７を挿入し、まず後方（奥方）側の２本の腕部４７ｂを周囲枠のうちの後枠部４８ｂに引掛けるように係合し、次いで食器支持部材４７の前方側の取手兼腕部４７ｃを後方に押しながら下方に押圧操作する。すると、取手兼腕部４７ｃは、周囲枠の前枠部４８ｃの内面を摺接しつつ弾性変形して挿入され、そして係合凹部４７ｄの位置まで挿入されると、該凹部４７ｄが前枠部４８ｃに弾性係合するとともに、このとき同時に前方側の腕部４７ｂも前枠部４８ｃに対して弾性変形しつつ挿入され下方への抜け止め状態に係合される。
【００３０】
この結果、かご本体４８の浅底収納スペースＣ側に装着された食器支持部材４７は、開放口４８ａを閉鎖して棚部４７ａにより当該浅底収納スペースＣ側の底部を形成するとともに、４隅部の腕部４７ｂおよび取手兼腕部４７ｃにより、主に下方への抜け止め状態のもとに圧挿されて弾性的に保持されるに加えて、取手兼腕部４７ｃでは係合凹部４７ｄと前枠部４８ｃとの弾性係合により、特に上方への抜け止め作用を得て、確実に組み込まれた状態に保持される。この場合、上記した食器支持部材４７の弾性変形のみに非ず、周囲枠を構成する後，前枠部４８ｂ，４８Ｃの弾性変形も利用できるので、有効な弾性変形のもとに容易に圧挿装着できる。
【００３１】
逆に、この組み込み状態の食器支持部材４７を取り外す場合には、上記とは逆の手順で行なえばよい。即ち、まず剛性の高い取手兼腕部４７ｃの端部を掴んで後方（奥方）に押しやりながら上方へ持ち上げるようにする。すると、まず前方側における前枠部４８ｃに対する係合凹部４７ｄの係合、および腕部４７ｂが圧挿状態から解かれて、後部側の腕部４７ｂと後枠部４８ｂとの係合部位を支点に上方に回動される。従って、この状態から食器支持部材４７を上方に持ち上げることで取外すことができ、この場合、上段の食器かご３３ｂを出入口２０から外方に出した状態で簡単に着脱操作できる。
【００３２】
また、この図４，５には前記した上段の食器かご３３ｂ用のスライド部材４６の具体構成についても示しており、これは図示から明らかなように該食器かご３３ｂの左右両側面にワイヤが有する弾力性を利用して、該スライド部材４６を弾性係合により装着している。そして、その両外側面には上下複数段の例えば３段の溝部４６ａ，４６ｂ，４６ｃを設けており、このいずれかを選択して前記洗浄槽１９内の両側面上部に形成したレール部材４５（図１参照）とスライド可能に係合させることにより、上段の食器かご３３ｂを前記出入口２０から出し入れ可能としている。
【００３３】
しかも、最も上段の溝部４６ａを選択してレール部材４５と係合した場合には、図１にも示すように洗浄槽１９内における上段の食器かご３３ｂは、最も低い高さ位置に収容支持され、最下段の溝部４６ｃとレール部材４５との組み合わせの場合には、当該食器かご３３ｂは最も高い位置に収容支持された状態が得られ、所謂高さ調節が可能な支持手段を構成している。このことは、下段の食器かご３３ａに収納された食器類の高さに応じて、上段の食器かご３３ｂを適正な高さ位置にセットすることができる。
【００３４】
尚、図６は食器かご３３に図１とは異なる食器類を配列収納した場合の実施態様を示した図１相当図で、詳細は後段の作用説明とするが、その食器類として下段の食器かご３３ａの右側である背の高い食器類の収納スペースＡには、例えば皿３４（この場合、中皿３４ｂ），麦茶用ボトル４９，小物入れ３９に収納されたおたま５０や菜箸５１等が収納され、また左側の一般的な食器類の収納スペースＢには複数のどんぶり５２が収納されている。
【００３５】
一方、上段の食器かご３３ｂにおいては、その右側の浅底収納スペースＣ側に取付けられる食器支持部材４７が外された状態にあって、食器類は何も収納支持されていない。また、左側の深底収納スペースＤには例えば複数のコップ４３が収納支持されている。
この場合、上段の食器かご３３ｂは最も高い位置に収容支持されており、従ってレール部材４５に対してスライド部材４６の最下段の溝部４６ｃが係合して、スライド可能に支持されている。
【００３６】
次に、上記構成とした食器洗浄機において、食器かご３３による異なる使用形態を示す図１および図６に基づき、その作用を説明する。
まず、図１は一般的によく使用される形態を示し、上下２段に配設した食器かご３３ａ，３３ｂの食器類収納スペースを全て利用して、一度に多くの食器類を収納し洗浄可能としている。しかも、本実施例では上段の食器かご３３ｂは、左右で高さが異なる段違いに構成されるとともに、これと下段の食器かご３３ａにおける背の高さが異なる食器類収納スペースとの組み合わせにより、多くの種類の食器類の洗浄に対処できる。
【００３７】
即ち、下段の食器かご３３ａの右側の背が高い食器類の収納スペースＡには、比較的背が高い皿３４としての小皿３４ａ，中皿３４ｂ、および小物入れ３９に収納されたスプーン３５や箸３６等が長寸の食器支え３８を利用して立設状態に配列支持される。そして、この上方に対応して浅底収納スペースＣが位置するように上段の食器かご３３ｂが配設されて、該スペースＣの開放口４８ａには食器支持部材４７が着脱可能に装着され（図４，５参照）、浅底収納スペースＣの底部を構成している。
【００３８】
従って、この浅底とする食器支持部材４７には複数のコップ４３が載置され収納されている。この場合、図示するように上段の食器かご３３ｂは、スライド部材４６の最上段の溝部４６ａとレール部材４５とが係合した支持状態にあるので、最も下位にセットされた収容状態にあるが、浅底収納スペースＣの底部を構成する食器支持部材４７の下方を有効活用して、下段には比較的径大な皿３４やスプーン３５等を当接することなく配列収納できる。
【００３９】
また、下段の食器かご３３ａの左側の一般的にな食器類の収納スペースＢには、短寸の食器支え４０を介して複数の茶碗３７の如く背が低い食器類が配列支持される。従って、この上方に対応して上段の食器かご３３ｂの深底収納スペースＤ側を配置することができ、該スペースＤには全体に大型の鍋４４などを、下段の茶碗３７に何ら支障なく載置収納することができる。
【００４０】
このように、段違い構成の上段の食器かご３３ｂと、背の高い食器類を収納する収納スペースＡを有する下段の食器かご３３ａとを、上下方向に無駄な空間を極力小さくした状態のもとで洗浄槽１９内に適正配置でき、従って上下２段に亘って多数の異なる食器類を有効に収納できるとともに、下方に設けられた噴射体２６からの噴射水を上段に配列された食器類に対し、有効に噴き付けることができ所望の洗浄効果が期待できる。
【００４１】
これに対し、図６は更に背の高い食器類を含む洗浄に好適する例を示したもので、食器かご３３の使用形態としては、下段の食器かご３３ａは上記と同じ状態であるが、上段の食器かご３３ｂは高い収容位置にセットされ、且つ食器支持部材４７を外した状態での使用形態を示している。
即ち、下段の食器かご３３ａにおいて、背の高い食器類の収納スペースＡには前記中皿３４ｂよりも更に縦長の食器類を洗浄すべく収納した使用形態を示しており、ここでは夏季によく使われる麦茶用ボトル４９を伏せた状態に収納し、他には小物入れ３９に収納支持したおたま６０や菜箸５１等を配列している。尚、左側の一般的な食器類の収納スペースＢには、例えば複数のどんぶり５２が配列支持されている。
【００４２】
このような、下段に配列されたうちの特に背の高い食器類に対し、上段の食器かご３３ｂが前記した図１の如く最下段に収容支持された形態では、該底部に背の高い麦茶用ボトル４９等が当接することになるので、この図６ではスライド部材４６を高さ調節して上段の食器かご３３ｂを最上段の位置に係合支持させ、且つ浅底収納スペースＣを構成する着脱可能な食器支持部材４７を取外した使用形態としている。従って、単に背が高いだけでなく厚みのある麦茶用ボトル４９とか、まな板（図示せず）などを立設状態に収納できる。尚、左側の深底収納スペースＤにあっては、洗浄槽１９の天井面との間が狭まるので小鉢類や図示するコップ４３が複数配列され収納支持されている。
【００４３】
この結果、上段の食器かご３３ｂの段違い構成による浅底収納スペースＣ側に対応して下段に配列された背の高い食器類は当接することなく確実に収納でき、しかも該スペースＣ側を構成する底部は抜けた状態（開放口４８ａ）にすることで、その開放口４８ａに対応した位置であれば、更に背の高い食器類をも収納可能となるなど、より多くの種類の食器類の洗浄が可能となる。
但し、上段の食器かご３３ｂの使用形態としては上記に限らず、特に下段に配列される背の高い食器類に応じて種々変更可能で、例えば食器支持部材４７は装着したまま当該食器かご３３ｂを最上段に支持する高さ調節のみ行なえばよい場合とか、或は中段または最下段に支持させたまま食器支持部材４７のみを外して、その除去スペースを有効利用して行なう場合など、種々展開可能である。
【００４４】
また、上段の食器かご３３ｂから外された食器支持部材４７は、下段の食器かご３３ａに保持させることも可能で、例えば平坦な棚部４７ａの格子状の大きな網目を利用して、下段の収納スペースＢ側に立設された短寸の食器支え４０に挿通して底部を重ね合わせることにより、失うおそれがなくコンパクトに保管できるとともに、その上から食器支え４０にて一般的な茶碗３７等を配列支持することも可能で、この場合には洗浄運転時にも上記保管状態のまま対応できて便利である。その他、上段の食器かご３３ｂの深底スペースＤ区分に収納できる大きさとして、該スペースＤに収納保管することも可能である。
【００４５】
以上説明したように、本実施例によれば次の効果を有する。
食器かご３３を、上下２段に配設した食器かご３３ａ，３３ｂから構成したので、洗浄槽１９を大型化するのを抑えながら多くの食器類を収納でき、一度に洗浄できる食器点数の増大が図れる。しかも、これら食器かご３３ａ，３３ｂは夫々独立した構成体としたので、出し入れ操作は軽やかにでき使い勝手も良い。更には、上段の食器かご３３ｂは、高さが異なる段違い構成として浅底収納スペースＣおよび深底収納スペースＤとしたことで、下段に収納された食器類の背の高さに応じた組み合わせにより、径大，径小，大物，小物など多種多様な食器類を効率良く収納できて洗浄が可能とするコンパクトな食器洗浄機を提供できる。
【００４６】
上記に加え、特に上段の食器かご３３ｂの一部を構成する食器支持部材４７を着脱可能に設けたことにより、該食器支持部材４７の有無に応じた食器類の収納が可能となるもので、上記段違い構成による効果に加えて殊に食器支持部材４７を取外した状態では、その下方に対応した位置に背の高い食器類を下段の食器かご３３ａに収納可能となり、各種の食器類に対して所望の洗浄ができる。
【００４７】
しかも、この食器支持部材４７を段違い構成の高い段部側である浅底収納スペースＣ側に配設したので、下段の食器かご３３ａには更に背の高い食器類をも収納可能とすることができるものであり、且つ上下２段配置からなる食器かご３３の構成でありながら上段の食器かご３３ｂに支障なく、下段に背の高い食器類を収納できる利点は、使い勝手上その実用的価値を高め得る。また、食器支持部材４７を着脱可能に設ける部位は、本実施例では段違い構成の高い段部側にしているので、常に背の高い食器類を収納する側において食器支持部材４７を着脱利用できることで、その位置付けが特定でき取扱いも容易である。
【００４８】
更には、上段の食器かご３３ｂの左右両側に装着されたスライド部材４６は、洗浄槽１９の両側壁に固定的に設けられたレール部材４５に対し、スライド可能に係合支持されるとともに、該レール部材４５に対してスライド部材４６が有する複数の溝部４６ａ〜４６ｃは係脱可能にして選択的に係合支持できるので、所謂上段の食器かご３３ｂを洗浄槽１９内にセットする高さ位置を複数段に調整できる。
【００４９】
従って、最上段にセットすれば下段には一層背の高い食器類を収納できて便利であるとともに、逆に下段の食器類が一般的な什器や小皿類のような場合とか、少なくともこれら下段の食器類が当接しない範囲において、上段の食器かご３３ｂを下方位置にセットできるので、下方に設けられた噴射体２６からの噴射水を上段にセットされた食器類に対しても有効に作用し、所望の洗浄効果を得ることができる。
尚、上記実施例では上段の食器かご３３ｂは、平坦状をなす底部として説明したが、これは下段の食器かご３３ａが有する如き食器支え４０を備えた構成としてもよく、その他、食器支持部材４７を取付ける腕部４７ｂの構成も適宜変形して実施できるものである。
【００５０】
（第２の実施の形態）
上記に対し、図７，８は本発明の第２実施例を示す図４，５相当図で、以下、上記実施例と同一部分には同一符号を付して説明を省略し、異なる部分についてのみ説明する。
このものは、上段の食器かご３３ｂの一部を構成する食器支持部材５３のみが異なる以外は、上記第１実施例と共通である。即ち、この食器支持部材５３は、特に図８に明示するように左右両側から上方に起立し先端がカール状をなした腕部５３ｅを形成したもので、具体的には底部たる棚部５３ａを形成するうちの２本のワイヤを左右方向に延長して夫々２本の腕部５３ｅを形成してなり、４隅部の前後方向に対応した腕部５３ｂに対し、左右方向に対応して形成され且つこれらは略同等の起立高さとしている。
【００５１】
上記構成の食器支持部材５３に対し、これを取付ける上段の食器かご３３ｂにあっては、かご本体４８の開放口４８ａの周囲枠のうちの左右両側枠に取付け可能としている。即ち、開放口４８ａの周囲枠の一部をワイヤで構成する右枠部４８ｄおよび左枠部４８ｅを、前記した前後の枠部４８ｃ，４８ｂより低い位置に枠組みした構成としている。
従って、食器支持部材５３を左右の腕部５３ｅを利用してかご本体４８に組み込んだ状態は、図７に示すように左右の腕部５３ｅの先端カール部分が左右の枠部４８ｅ，４８ｄに係合支持され、且つ前述した前後の腕部４７ｂを利用した取付状態（図４参照）より下位に取付けられる。
【００５２】
次に、上記構成の使用形態につき述べるに、まず食器支持部材５３の取付手順としては、これを開放口４８ａの下方から例えば左側を上にしたやゝ傾斜状態にして挿入する。そして、まず左側の腕部５３ｅを左枠部４８ｅに引掛けた後、右側の腕部５３ｅを上方に持ち上げ若干撓ませながら右枠部４８ｄに引掛ける。この場合、左右の腕部５３ｅはワイヤによる弾性変形が容易であるので、取付状態では左右の枠部４８ｅ，４８ｄ間に弾性的に挟持される寸法関係としておくことで、該食器支持部材５３が不用意に移動したり微振動を呈することなく確実に取付保持することができる。尚、食器支持部材５３は、上段の食器かご３３ｂが出入口２０から外方に引き出されている場合には、開放口４８ａの上方からでも適宜撓ませながら取付けることもできる。
【００５３】
しかして、上記のように食器支持部材５３を取付けてなる上段の食器かご３３ｂには、該食器支持部材５３の取付け高さを変えて組み込むことにより、その右側の浅底収納スペースＣでは、上記第１実施例に比してやゝ深くした底部が形成されることとなり、通常のコップ４３（図１，２参照）より若干大きい例えばマグカップ（図示せず）等が収納可能となる。尚、この食器支持部材５３の取付高さは、本実施例に限らず更に複数段に調整可能とすることも容易にできるとともに、その高さ位置を左側の深底収納スペースＤと同等にするなど、使用形態は広く展開できる。
【００５４】
また、食器支持部材５３の下方たる下段側の食器類が比較的背の低い場合には、当該食器支持部材５３の取付高さを低く設定することができ、斯かる場合には当該収納スペースＣに収納された食器類に対し、特に下方からの噴射洗浄水を有効に噴き当てることができ、効果的な洗浄が期待できる。
このように、本実施例によれば食器支持部材５３を、前後，左右の腕部５３ｂ，５３ｅを利用して上段の食器かご３３ｂにおける取付高さを変更できるので、上記第１実施例に増して使用者の要望に応じた多種多様の食器類を収納できるとともに、効果的に洗浄できるなど一層の使い勝手が向上する。
【００５５】
尚、本発明は上記し且つ図面に示した各実施例にのみ限定されるものではなく、例えば食器かごとしては上下２段に個々に配設した構成としたが、これは上下一体の構成としても良いし、また食器支持部材は容器状に構成しても良いことはもとより、その前後更には左右にも設けた腕部を介して取付け得、且つ取付高さを変更可能としたが、同じ腕部を利用して被取付側の取付位置を変更して取付け高さ調整することも容易に考えられるなど、実施に際して本発明の要旨を逸脱しない範囲内で適宜変更して実施し得る。
【００５６】
【発明の効果】
以上述べたことから明らかなように、本発明の食器洗浄機は、食器類を収納する食器かごを上下２段に配設するとともに、そのうちの上段の食器かごに対し、該食器かごの一部を構成する食器支持部材を着脱可能とした。
これにより、上下２段に多数の食器類を収納できることに加えて、食器支持部材を着脱することで下段に収納された食器類と当接しない適正配置ができ、しかも特に背の高い食器類の収納にも適用できるなど、多種多様の食器類を洗浄するに有効で使い勝手も良好な食器洗浄機を提供できる。
【図面の簡単な説明】
【図１】本発明の第１実施例を示す、扉を取除いた状態の正面図
【図２】要所を切断して示す縦断側面図
【図３】外観斜視図
【図４】上段の食器かごの斜視図
【図５】上段の食器かごの分解斜視図
【図６】異なる使用形態を説明するための図１相当図
【図７】本発明の第２実施例を示す図４相当図
【図８】図５相当図
【符号の説明】
１９は洗浄槽、３３は食器かご、３３ａは下段の食器かご、３３ｂは上段の食器かご、４５はレール部材、４６はスライド部材、４７，５３は食器支持部材、４７ｂ，５３ｂ，５３ｅは腕部、４８はかご本体、および４８ａは開放口を示す。
【図１】
2004242901.tif 000003
【図２】
2004242901.tif 000004
【図３】
2004242901.tif 000005
【図４】
2004242901.tif 000006
【図５】
2004242901.tif 000007
【図６】
2004242901.tif 000008
【図７】
2004242901.tif 000009
【図８】
2004242901.tif 000010